(57)【要約】【課題】従来の方法では，複数の設定画面間における処理の順序等の関連付けを明確に示すことは困難であった。そのため操作者が意図しない動作がなされることがあった。【解決手段】タブで選択される画面の情報に応じて，未入力，処理待ち，処理済等，システムの状態を表す色をタブに付与することにより，操作者に次に行うべき作業，あるいはある画面における変更が別のどの画面に影響を与えるかをタブ色の変化で示すことにより，ミスを低減し，適正処理を促す。【選択図】図１
2005267583.tif 000002
【特許請求の範囲】
【請求項１】
複数のタブで画面を選択し，当該画面上で入力，設定，処理の実行を行うコンピュータシステムにおいて，前記画面の情報により影響を受ける他の画面のタブの大きさ，タブの色，タブの背景色，タブの文字色，タブの文字書体，タブの文字サイズのいずれかもしくは複数の設定を変化させることにより，処理の手順を管理するコンピュータシステム。
【発明の詳細な説明】
【技術分野】
【０００１】本発明は，オペレーションシステム，アプリケーションプログラム等において，処理手順をタブの関連付けと色等，タブが有する属性の変化により管理するシステムに関するものである。
【背景技術】
【０００２】従来より，プログラムの設定が多項目にわたる場合に，複数のタブにより選択される複数の設定画面に入力することがなされている。また現在有効なタブの色を変化させることもなされている。
【発明が解決しようとする課題】
【０００３】従来の方法では，複数のタブを用いる目的は，数多くの設定項目を類似する項目毎にまとめて，前記類似する項目の設定画面をタブで選択することはできるものの，タブで選択される複数の設定画面間における処理の順序あるいは処理の必要性等の関連付けを明確に示すことはできなかった。そのため操作者が意図しない動作がなされることがあった。例えば，ページ設定が複数タブでなされるワードプロセッサにおいて「文字数と行数」設定タブと「余白」設定タブがある場合に，ページの上下左右の余白を変更するならば文字数と行数に影響を及ぼすが，操作者は余白の変更により他のタブで設定される項目に影響が及ぶかは画面上からは理解できない。別の例として，タブで選択できる複数の表に入力を完了しなければ次の処理に進んではならない処理の場合に，どのページの入力が終了したかはすべてのタブを選択して画面を確認しなければならなかった。さらに処理の内容によっては実行するべき処理の選択肢に変化が生じるが，タブにより処理の選択肢の変化に対応することはできなかった。
【課題を解決するための手段】
【０００４】上記課題を解決するために，請求項１記載のシステムは，例えば，表計算のシステムにおいて，複数の表同士はそれぞれ独立しているものの，すべての表の入力が終了しなければ，次の処理（例えば集計や印刷）に進んではならない場合に，任意の表にタブで移動でき入力等ができ，アクティブな表のタブの背景または文字もしくはその両方の色（以後，タブ色と呼ぶ）を変化させ，さらに規定の項目への入力が満たされた場合に，タブ色を別色に変化させる。操作者は，一目で，すべてに入力が完了したか否かを識別できる。別の例として，特定の画面の情報が他の画面の情報に影響を与える場合において，他の画面の情報に影響を与える画面（以後，前提画面と呼ぶ）に入力した時点で、続く一連の画面を入力待ちあるいは処理待ちの画面（以後，未完了画面と呼ぶ）としてタブ色により区別する。前提画面の設定入力等が完了した場合に，前提画面のタブ色は完了を表す色とする。前提画面の情報の確定により、次に行うべき入力項目が決まるが，次に入力をなすべき画面はタブ色の変化により表す。入力等が完了した時点で、その画面のタブ色は完了を表す色とする。全部のタブ色が変わるときに、一連の作業が完了したことになる。このように，タブ色の変化により，最初に入力するべき画面，次に入力するべき画面，すべての入力が完了したことをタブ色により識別することが可能となる。作業を後戻りし，別の画面への入力を許可するかどうか，あるいはその操作により他の画面の情報を初期化するかどうかはシステムの要件によるが，ある画面の変更が他の画面に影響する場合には，関係する他の画面のタブ色を変化させることにより，操作者の注意を促したり，再入力をおこなわせたりすることも可能である。また別の例として，本考案により処理の流れを制御することも可能となる。例えばイベントが発生した場合に，そのイベントには一連の作業が関係する場合がある。例えば、注文書の作成には、印刷が関係する。そこで、注文書の作成処理を選択した場合に、注文書の入力、印刷待ち、印刷済みという一連の流れが発生するので、その一連の流れをタブで管理する。注文書の入力が終了すると注文書作成のタブ色は完了を表す色とし，印刷待ちのタブ色は処理待ちを表す色とする。また，別の例として，不動産評価において，賃貸マンションと事務所のように住宅区分によって入力項目が大きくことなり，前提画面で，賃貸マンション，事務所，あるいはその両方の基本情報を入力し，それぞれ別の未完了画面で詳細を入力する場合，入力の必要な未完了画面、あるいは必要のない画面のタブの色を変更することにより，入力の必要な画面を明示することにより，操作者の注意を促したり，入力をおこなわせたりすることも可能である。
【発明の効果】
【０００５】本発明は次のような効果を奏する。つまり，アプリケーションが複雑になるにつれて，設定するべき情報が増加し，情報間の関連が複雑となり，さらに処理の分枝条件も増加するが，操作者はそれら情報間の関係や処理手順について理解することは困難となっている。全画面の情報により，複数のタブ色に未完了，処理待ち，処理済み等，システムの状態に応じた意味を付与したりすることにより，実行するべき作業を容易に把握することができる。また一連の作業の後戻りをした場合においても，影響を受けた作業画面のタブ色を変化させることにより，作業者は次にどの画面で作業するべきかが明確に理解でき，結果としてミスを低減し，適正処理に寄与する。
【発明を実施するための最良の形態】
【０００６】図１は前提画面の影響を受けてタブの色を変えて，入力完了，未完了および入力中を示す。図２は前提画面の入力作業と一連の作業をタブで示す。タブ色の変化は便宜上，白地に黒，白地に太文字で示す。前提画面である基本情報タブ（図２の４）は入力中の色が指定されている。前提画面の入力により，入力の必要な入力未完了画面のタブ（図２の５と図２の６）は入力待ちの色が指定されている。前提画面の入力が完了すると，基本情報タブ（図２の４）は入力完了の色（図１の１）に変わる。入力した前提画面の情報により，入力の不必要な画面（図１の３）と入力の必要な入力未完了画面（図１の２）がある場合，タブの色をそれぞれ異なる色に変化させ，かつ，入力の必要な入力未完了画面のタブ（図１の２）をアクティブにして入力を促している。
【図面の簡単な説明】
【０００７】
【図１】タブ色の変化によって，入力完了画面，入力に必要な未完了画面または入力の不必要な画面，入力中画面を明確にしている。
【図２】前提画面の入力中画面であり，一連の作業をタブで示している。
【符号の説明】
【０００８】１  前提画面のタブ色が入力完了の色に変化させている。
２  前提画面の情報により、入力の必要な入力未完了画面のタブ色を変化させ入力を促している。
３  前提画面の情報により、入力の不必要な画面のタブ色を変化させている。
４  前提画面の入力中で、タブ色が入力中の色に変化させている。
５  タブ色を入力済に変化させている。
６  タブ色を入力中に変化させている。
【図１】
2005267583.tif 000003
【図２】
2005267583.tif 000004